(57)【要約】【課題】締付感が小さくて動き易く、かつ動作時の安定感にも優れた衣類を提供する。【解決手段】衣類１は、表面２、裏面３、及び表面２と裏面３とを接結する接結部４によって構成された本体部５を備え、本体部５は、曲線部分を含む境界線Ｒによって区分された複数の構成部分６Ａ〜６Ｃを含み、接結部４の密集度が異なることにより、複数の構成部分６Ａ〜６Ｃの回復力が互いに異なっている。【選択図】図１
2018053413.tif 000002
【特許請求の範囲】
【請求項１】
表面、裏面、及び前記表面と裏面とを接結する接結部によって構成された本体部を備え、
前記本体部は、曲線部分を含む境界線によって区分された複数の構成部分を含み、
前記接結部の密集度が異なることにより、前記複数の構成部分の回復力が互いに異なっている衣類。
【請求項２】
前記本体部は、前記接結部の密集度が０となることによって前記表面と前記裏面とが分離した構成部分を含む請求項１記載の衣類。
【請求項３】
前記本体部は、着用者のバストを覆うバスト部を有し、
回復力が他の構成部分よりも相対的に低い構成部分が前記バスト部に対応して設けられている請求項１又は２に記載の衣類。
【請求項４】
前記本体部は、着用者のヒップを覆うヒップ部を有し、
回復力が他の構成部分よりも相対的に低い構成部分が前記ヒップ部に対応して設けられている請求項１又は２に記載の衣類。
【発明の詳細な説明】
【技術分野】
【０００１】
本発明は、衣類に関する。
【背景技術】
【０００２】
従来、衣類を構成する編み組織として、例えば特許文献１に記載の接結二重編物がある。この従来の編み組織では、一方の編地の各コースのケーブルに他方の編地の各コースのループをクロスさせて形成した接結部によって、表裏二面の編地の全体或いは一部を一体化している。
【先行技術文献】
【特許文献】
【０００３】
【特許文献１】特開昭６０−０６５１５４号公報
【発明の概要】
【発明が解決しようとする課題】
【０００４】
近年では、締付感が小さくて動き易く、かつ動作時の安定感にも優れ、日常の様々なシーンに対応できる衣類の開発が進められている。締付感の緩和と動作安定感とを両立させるためには、衣類の任意の位置での回復力を自在に調整できる技術が必要となっている。
【０００５】
本発明は、上記課題の解決のためになされたものであり、締付感が小さくて動き易く、かつ動作時の安定感にも優れた衣類を提供することを目的とする。
【課題を解決するための手段】
【０００６】
本発明の一側面に係る衣類は、表面、裏面、及び表面と裏面とを接結する接結部によって構成された本体部を備え、本体部は、曲線部分を含む境界線によって区分された複数の構成部分を含み、接結部の密集度が異なることにより、複数の構成部分の回復力が互いに異なっている。
【０００７】
この衣類では、表面と裏面とを接結する接結部の密集度の違いによって、本体部の構成部分の回復力が自在に調整されている。回復力が相対的に高い構成部分と、回復力が相対的に低い構成部分とを本体部の所望の位置に配置し、これらの構成部分の境界線に曲線部分を含めることで、締付感が小さくて動き易く、かつ動作時の安定感にも優れた衣類を構成することができる。
【０００８】
また、本体部は、接結部の密集度が０となることによって表面と裏面とが分離した構成部分を含んでいてもよい。この場合、表面と裏面との間にパッドなどの機能性部材を配置することで、衣類の機能を高めることが可能となる。
【０００９】
また、本体部は、着用者のバストを覆うバスト部を有し、回復力が他の構成部分よりも相対的に低い構成部分がバスト部に対応して設けられていてもよい。この場合、回復力が相対的に高い構成部分によって着用者のバスト周りが保持され、バスト下部を安定させることができる。また、回復力が相対的に低い構成部分によってバスト部が着用者のバストに面として沿うため、フィット感を高めることができる。
【００１０】
また、本体部は、着用者のヒップを覆うヒップ部を有し、回復力が他の構成部分よりも相対的に低い構成部分がヒップ部に対応して設けられていてもよい。回復力が相対的に高い構成部分によって着用者のヒップ周りが保持される。また、回復力が相対的に低い構成部分によってヒップ部が着用者のヒップに面として沿うため、フィット感を高めることができる。
【発明の効果】
【００１１】
本発明によれば、締付感が小さくて動き易く、かつ動作時の安定感にも優れた衣類を構成できる。
【図面の簡単な説明】
【００１２】
【図１】本発明の一側面に係る衣類の概略構成を示す図である。
【図２】第１実施形態に係る衣類を正面側から見た図である。
【図３】（ａ）（ｂ）は、比較例に係る衣類の着用状態を示す概略図である。
【図４】実施例に係る衣類の着用状態を示す概略図である。
【図５】第２実施形態に係る衣類を背面側から見た図である。
【発明を実施するための形態】
【００１３】
以下、図面を参照しながら、本発明の一側面に係る衣類の好適な実施形態について詳細に説明する。
［衣類の概略構成］
【００１４】
図１は、本発明の一側面に係る衣類の概略構成を示す図である。同図に示すように、衣類１は、表面２、裏面３、及び表面２と裏面３とを接結する接結部４によって構成された本体部５を有している。表面２は、着用状態において外側を向く面であり、裏面３は、着用状態において肌側を向く面である。接結部４によって接結された状態においては、表面２及び裏面３は、一体の身生地を構成する。
【００１５】
表面２及び裏面３を構成する編組織としては、例えばフライス、スムース、トリコット、ラッセル等が挙げられる。表面２を構成する編組織と裏面３を構成する編組織は、同一であってもよく、異なるものであってもよい。
【００１６】
接結部４は、例えばジャガード編み機を用い、裏面３を構成する糸に表面２を構成する糸を引っ掛けることによって構成されている。接結部４の密集度は、裏面３を構成する糸のコースに対し、表面２を構成する糸による接結のピッチを変えることで任意に調整可能となっている。なお、接結部４は、表面２を構成する糸に裏面３を構成する糸を引っ掛けることによって構成してもよく、表面２を構成する糸と裏面を構成する糸とを互いに異なる糸によって構成してもよい。
【００１７】
図１に示す例では、接結部４の密集度が互いに異なる３つの構成部分６Ａ，６Ｂ，６Ｃが本体部５に形成されている。構成部分６Ａ，６Ｂの境界線Ｒ１及び構成部分６Ｂ，６Ｃの境界線Ｒ２は、衣類１の平面視において曲線部分を含んで構成されている（図２，５参照）。構成部分６Ａでは、接結部４の密集度が最も高くなっており、構成部分６Ｂでは、接結部４の密集度が構成部分６Ａの半分程度となっている。また、構成部分６Ｃでは、接結部４が設けられておらず、接結部４の密集度が０となっている。構成部分６Ｃでは、接結部４が設けられていないため、表面２及び裏面３が分離した状態となっている。構成部分６Ｃが接結部４のある構成部分６Ｂ等と連続することで、構成部分６Ｃでは、表面２及び裏面３との間に空間Ｓが形成されている。
【００１８】
構成部分６Ａ，６Ｂ，６Ｃの回復力は、接結部４の密集度に依存する。すなわち、本体部５では、構成部分６Ａの回復力が最も高く、次いで構成部分６Ｂの回復力が高く、構成部分６Ｃの回復力が最も低くなる。回復力は、例えば定速伸長形引張試験機を用いた伸長・回復性試験により測定することができる。この場合、定速伸長形引張試験機に生地（試験片）を取り付け、設定された伸度に達するまで一定の速度で試験片の伸長・回復を行い、試験片の回復力を測定する。なお、回復力は、緊迫力と称してもよい。
【００１９】
このような衣類１では、表面２と裏面３とを接結する接結部４の密集度の違いによって、本体部５の構成部分６Ａ，６Ｂ，６Ｃの回復力が自在に調整されている。回復力が相対的に高い構成部分と、回復力が相対的に低い構成部分とを本体部５の所望の位置に配置し、これらの構成部分の境界線に曲線部分を含めることで、締付感が小さくて動き易く、かつ動作時の安定感にも優れた衣類１を構成することができる。
［第１実施形態］
【００２０】
図２は、第１実施形態に係る衣類を正面側から見た図である。同図に示す衣類は、図１のコンセプトを適用した女性用の上半身衣類１１である。以下の説明では、便宜上、上半身衣類の着用状態を想定して「上」「下」等の用語を使用する。
【００２１】
上半身衣類１１は、図１に示したように、表面２、裏面３、及び表面２と裏面３とを接結する接結部４によって構成された本体部５を有している。本体部５は、例えばバスト部１２と、胴部１３と、左右のストラップ部１４とを含み、着用者の上半身を覆うように構成されている。
【００２２】
バスト部１２は、着用者のバストを覆うように設けられている。バスト部１２では、接結部４の密集度が０となっており、バスト部１２と胴部１３との境界線Ｒにおいて、表面２と裏面３とが二股に分離した状態となっている（図４参照）。したがって、バスト部１２における裏面３の回復力は、本体部５の他の部分の回復力に比べて低くなっている。バスト部１２における裏面３の回復力は、例えば５ｃＮ〜１５ｃＮ程度となっている。
【００２３】
バスト部１２において、表面２と裏面３との間の空間Ｓには、例えばウレタンなどの弾性材料を用いて左右一体に形成されたパッド１５が配置されている。パッド１５の形状に特に制限はなく、左右が別体のパッドが空間Ｓに配置されていてもよい。
【００２４】
バスト部１２と胴部１３との境界線Ｒは、曲線部分を含んで構成されている。バスト部１２の上縁側の境界線Ｒａは、本体部５の首刳りに沿って下方に湾曲すると共に、左右のストラップ部１４の前側の端部を横切るように直線状に延びている。境界線Ｒのうち、左右のストラップ部１４を横切る部分Ｒｂでは、空間Ｓが開放されている。この開放部分は、パッド１５の挿抜口として用いられる。バスト部１２の脇縁側の境界線Ｒｃは、本体部５の袖刳りに沿って前中心側に緩やかに湾曲している。また、バスト部１２の下縁側の境界線Ｒｄは、パッド１５の下縁形状に対応するように下方に湾曲した状態となっている。なお、境界線Ｒａ，Ｒｃは、実際に衣類の端部と一致するが、図２では便宜上、衣類の端部の内側に図示している。
【００２５】
胴部１３は、着用者の腹部、背部を覆うように設けられている。胴部１３では、表面２と裏面３とが所定の密集度の接結部４によって接結されており、バスト部１２に比べて高い回復力を呈するようになっている。伸長・回復性試験による胴部１３の８０％伸度における回復力は、例えば１０ｃＮ〜３０ｃＮ程度となっている。また、バスト部１２における裏面３の回復力と、胴部１３の回復力との比は、１：２〜１：６程度となっていることが好ましい。
【００２６】
ストラップ部１４は、バスト部１２の上脇部分と、胴部１３の背中側の上脇部分とを繋ぐように帯状に設けられている。ストラップ部１４は、例えば本体部５の表面２のみがバスト部１２の上側部分から胴部１３の背中側の上脇部分に延びることによって構成されている。ストラップ部１４は、着用者の両肩にそれぞれ正面から背面にかけて掛け渡され、上半身衣類１１の装着がサポートされる。
【００２７】
以上のような上半身衣類１１では、回復力が相対的に高い胴部１３によって着用者のバスト周りが保持され、バスト下部を安定させることができる。また、胴部１３内において、接結部４の密集度を変化させることで、部位によって回復力に変化を持たせることも可能となる。さらに、上半身衣類１１では、回復力が相対的に低いバスト部１２が着用者のバストに面として沿うため、着用時のフィット感を高めることができる。バスト部１２の下縁側の境界線Ｒｄがパッド１５の下縁形状に対応しているので、パッド１５の位置ずれも防止できる。
【００２８】
なお、上半身衣類１１は、接結部４の密集度を０とした筒状の編地を編成してバスト部１２より上方の部分及び背部上方の部分を形成した後、裁断によって首刳り部及び袖刳り部を形成し、上縁側の境界線Ｒａ及びバスト部１２の脇縁側の境界線Ｒｃを含む首刳り部及び袖刳り部をパイピング処理することによって構成してもよい。
【００２９】
また、上半身衣類１１は、成形編みによって首刳り部及び袖刳り部を予め形成した状態で編成し、バスト部１２のみ接結部４の密集度を０とすると共に、他の部分を接結部４によって表面２と裏面３とを接結することによって構成してもよい。この場合、例えば裁断によってバスト部１２の裏面３にパッド挿入用のスリットを設けてもよい。
【００３０】
図３は、比較例に係る衣類の着用状態を示す概略図である。図３（ａ）は、従来の典型的なカップ付きキャミソール１０１の着用状態を例示したものである。このカップ付きキャミソール１０１では、身生地１０２がバストの上部で折り返され、当該折返部分にカップ１０３が縫着されている。また、カップ１０３の下縁部には、テープ１０４が設けられている。このカップ付きキャミソール１０１では、カップ１０３及びテープ１０４によって着用者のバストの造形性及び動作安定感が確保されるが、テープ１０４がアンダーバストに当たることによる締付感や違和感が生じるおそれがある。
【００３１】
また、図３（ｂ）は、従来の典型的なカップ付き肌着の着用状態を例示したものである。このカップ付き肌着１１１では、身生地１１２に合わせた肌側生地１１３が身生地１１２の裏側に縫着され、身生地１１２と肌側生地１１３との間にカップ１１４が配置されている。また、カップ付き肌着１１１では、上記のカップ付きキャミソール１０１とは異なり、カップ１１４に対してテープは設けられていない。このようなカップ付き肌着１１１では、テープによる締め付けがないため、全体的にゆとりのある着用感となる。しかしながら、アンダーバストがカップ１１４から浮き、バストの造形性及び動作安定感が得られ難いという問題がある。
【００３２】
以上のような比較例に係る衣類は、バスト部（特にアンダーバスト）の締め付けを相対的に強くし、バスト部より下側の部分の締め付けを相対的に弱くする、というパワーバランスを有している。これに対し、本実施形態に係る上半身衣類１１は、比較例に対してパワーバランスが逆転している。すなわち、上半身衣類１１では、図４に示すように、回復力が相対的に高い胴部１３によってバスト下部が安定すると共に、回復力が相対的に低いバスト部１２がバストの全体に面でフィットする。
【００３３】
したがって、上半身衣類１１では、バストの動きにバスト部１２が追従し、弱いパワーでもアンダーバストの浮きを抑制できるため、バストの動作時の安定感を確保することが可能となる。また、上半身衣類１１では、比較例に係る衣類とは異なり、テープによる線状の締め付けや違和感が生じることもない。さらに、裏面３が胴部１３からバスト部１２にかけて平坦に連続するため、胴部１３とバスト部１２との境界線Ｒの近傍の肌当たりにも優れたものとなる。
【００３４】
なお、本実施形態では、帯状のストラップ部１４を有する、いわゆるタンクトップ形状の上半身衣類を例示したが、これに限られるものではない。例えば帯状のストラップ部１４に代えて、別部材のテープを本体部に縫着したストラップ部、或いは本体部からパイピングを延在させることによって形成したストラップ部を用い、カップ付きキャミソールとすることもできる。
［第２実施形態］
【００３５】
図５は、第２実施形態に係る衣類を背面側から見た図である。同図に示す衣類は、図１のコンセプトを適用した下半身衣類２１である。同図の例では、下半身衣類２１は、例えば女性用のボトム衣類として構成されている。
【００３６】
下半身衣類２１は、図１に示したように、表面２、裏面３、及び表面２と裏面３とを接結する接結部４によって構成された本体部５を有している。本体部５は、例えばヒップ部２２と、腰部２３と、脚部２４とを含み、着用者の股部を覆うように構成されている。
【００３７】
ヒップ部２２は、着用者のヒップを覆う部分である。ヒップ部２２は、少なくとも着用者のヒップトップ位置を覆うように構成されている。ヒップ部２２では、接結部４の密集度が０となっており、ヒップ部２２とヒップ部２２を除く本体部５の他の部分２６との境界線Ｒにおいて、表面２と裏面３とが二股に分離した状態となっている。したがって、ヒップ部２２における裏面３の回復力は、本体部５の他の部分２６の回復力に比べて低くなっている。伸長・回復性試験によるヒップ部２２の裏面３の８０％伸度における回復力は、例えば５ｃＮ〜１５ｃＮ程度となっている。
【００３８】
ヒップ部２２と本体部５の他の部分２６との境界線Ｒは、曲線部分を含んで構成されている。ヒップ部２２の脇側の境界線Ｒｅは、着用者のヒップの脇側を通るように、腰部２３から脚部２４に向かって延びている。ヒップ部２２の下縁側の境界線Ｒｆは、着用者の臀溝のライン周辺を通るように、境界線Ｒの下端から脚部２４の内側上部に向かって緩やかに湾曲している。
【００３９】
腰部２３は、着用者の腰周りを覆う部分である。また、脚部２４は、着用者の太腿を覆う部分である。脚部２４の長さ（丈の長さ）は、特に制限はなく、脚部２４の裾が着用者の膝上に位置してもよく、膝下に位置していてもよい。腰部２３及び脚部２４を含め、ヒップ部２２を除く本体部５の他の部分２６では、表面２と裏面３とが所定の密集度の接結部４によって接結されており、ヒップ部２２に比べて高い回復力を呈するようになっている。伸長・回復性試験による他の部分２６の８０％伸度における回復力は、例えば１５ｃＮ〜３０ｃＮ程度となっている。ヒップ部２２における裏面３の回復力と、本体部５の他の部分２６の回復力との比は、１：２〜１：６程度となっていることが好ましい。
【００４０】
以上のような下半身衣類２１では、回復力が相対的に高い本体部５の他の部分２６によって着用者のヒップ周りが保持される。また、下半身衣類２１では、回復力が相対的に低いヒップ部２２が着用者のヒップに面として沿うため、フィット感を高めることができる。
【００４１】
なお、図５に示した形態のように、ヒップ部２２において表面２と裏面３との間の空間Ｓに、例えばウレタンなどの弾性材料を用いて左右一体に形成されたパッド２５を配置してもよい。パッド２５の形状に特に制限はなく、左右が別体のパッドが空間Ｓに配置されていてもよい。また、例えばヒップ部２２において、本体部５の他の部分２６の接結部４の密集度よりも小さい密集度で形成した接結部４によって表面２と裏面３とを接結してもよい。この場合であっても、ヒップ部２２の回復力が本体部５の他の部分２６の回復力よりも低くなるため、締付感が小さくて動き易く、かつ動作時の安定感にも優れた下半身衣類２１を構成できる。
【００４２】
また、図５に示した形態では、接ぎ線（縫着線）を図示していないが、左右の身頃を後中心で縫着することによって下半身衣類２１を構成してもよい。
【符号の説明】
【００４３】
１…衣類、２…表面、３…裏面、４…接結部、５…本体部、６Ａ〜６Ｃ…構成部分、１１…上半身衣類（衣類）、１２…バスト部（構成部分）、１３…胴部（構成部分）、２１…下半身衣類（衣類）、２２…ヒップ部（構成部分）、２６…他の部分（構成部分）、Ｒ…境界線。
【図１】
2018053413.tif 000003
【図２】
2018053413.tif 000004
【図３】
2018053413.tif 000005
【図４】
2018053413.tif 000006
【図５】
2018053413.tif 000007